【手続補正書】
【提出日】平成18年7月25日(2006.7.25)
【手続補正１】
【補正対象書類名】明細書
【補正対象項目名】特許請求の範囲
【補正方法】変更
【補正の内容】
【特許請求の範囲】
【請求項１】  物体側から順に、負の屈折力の前群と、正の屈折力の後群を有し、該前群と後群の間隔を変化させて変倍させるズームレンズにおいて、該前群は、物体側から順に、正の屈折力のＦａ群と負の屈折力のＦｂ群を有し、変倍時に該Ｆａ群と該Ｆｂ群の間隔が変化するように該Ｆａ群とＦｂ群を移動させ、該後群は、物体側から順に、正の屈折力のＲａ群と正の屈折力のＲｂ群を有し、変倍時に該Ｒａ群と該Ｒｂ群の間隔が変化するように該Ｒａ群とＲｂ群を移動させ、広角端から望遠端に変倍させるときレンズ全系の像面に対して該Ｆａ群と該Ｒｂ群は移動方向が反転することを特徴とするズームレンズ。
【請求項２】  物体側から順に、負の屈折力の前群と、正の屈折力の後群を有し、該前群と後群の間隔を変化させて変倍させるズームレンズにおいて、該前群は、物体側から順に、正の屈折力のＦａ群と負の屈折力のＦｂ群を有し、変倍時に該Ｆａ群と該Ｆｂ群の間隔が変化するように該Ｆａ群とＦｂ群を移動させ、該後群は、物体側から順に、正の屈折力のＲａ群と正の屈折力のＲｂ群を有し、変倍時に該Ｒａ群と該Ｒｂ群の間隔が変化するように該Ｒａ群とＲｂ群を移動させ、広角端から望遠端に変倍させるときレンズ全系の像面に対して該Ｒｂ群は移動方向が反転し、該Ｆａ群は１つの正レンズより成り、該Ｒａ群は正レンズと負レンズを有することを特徴とするズームレンズ。
【請求項３】  物体側から順に、負の屈折力の前群と、正の屈折力の後群を有し、該前群と後群の間隔を変化させて変倍させるズームレンズにおいて、該前群は、物体側から順に、正の屈折力のＦａ群と負の屈折力のＦｂ群を有し、変倍時に該Ｆａ群と該Ｆｂ群の間隔が変化するように該Ｆａ群とＦｂ群を移動させ、該後群は、物体側から順に、正の屈折力のＲａ群と正の屈折力のＲｂ群を有し、変倍時に該Ｒａ群と該Ｒｂ群の間隔が変化するように該Ｒａ群とＲｂ群を移動させ、広角端から望遠端に変倍させるときレンズ全系の像面に対して該Ｒｂ群は、移動方向が反転し、該Ｒａ群の物体側に変倍に伴って該Ｒａ群と一体的に移動する絞りを配置すると共に、該Ｒｂ群は正の屈折力の接合レンズ又は正レンズより成ることを特徴とするズームレンズ。
【請求項４】  広角端から望遠端に変倍させるとき、レンズ全系の像面に対して前記Ｒｂ群は物体側への移動から像面側への移動に反転することを特徴とする請求項１，２又は３のズームレンズ。
【請求項５】  広角端から望遠端に変倍させるとき、レンズ全系の像面に対して前記Ｆａ群は像面側への移動から物体側への移動に反転することを特徴とする請求項１から４のいずれか１項のズームレンズ。
【請求項６】  広角端でのレンズ全系の焦点距離をｆｗ、前記Ｆａ群の焦点距離をｆＦａとするとき、
０．００＜ｆｗ／ｆＦａ＜０．２０
なる条件を満足することを特徴とする請求項１から５のいずれか１項のズームレンズ。
【請求項７】  広角端でのレンズ全系の焦点距離をｆｗ、前記Ｆｂ群の焦点距離をｆＦｂとするとき、
０．３５＜ｆｗ／｜ｆＦｂ｜＜０．８０
なる条件を満足することを特徴とする請求項１から６のいずれか１項のズームレンズ。
【請求項８】  前記Ｒａ群の焦点距離をｆＲａ、前記Ｒｂ群の焦点距離をｆＲｂとするとき、
０．７＜ｆＲａ／ｆＲｂ＜１．５
なる条件を満足することを特徴とする請求項１から７いずれか１項のズームレンズ。
【請求項９】  広角端での前記Ｆｂ群と前記Ｒａ群の光軸上間隔をＢｗ、望遠端での前記Ｆｂ群と前記Ｒａ群の光軸上間隔をＢｔ、レンズ全系の焦点距離が広角端の焦点距離ｆｗと望遠端での焦点距離ｆｔの相乗平均ｆｍ＝（ｆｗ×ｆｔ）１／２になる変倍位置での前記Ｆｂ群と前記Ｒａ群の光軸上間隔をＢｍとするとき、
０．５０＜（Ｂｗ−Ｂｍ）／（Ｂｗ−Ｂｔ）＜０．７５
なる条件を満足することを特徴とする請求項１から８いずれか１項のズームレンズ。
【請求項１０】  広角端での前記Ｒａ群と前記Ｒｂ群の光軸上間隔をＣｗ、望遠端での前記Ｒａ群と前記Ｒｂ群の光軸上間隔をＣｔ、レンズ全系の焦点距離が広角端の焦点距離ｆｗと望遠端での焦点距離ｆｔの相乗平均ｆｍ＝（ｆｗ×ｆｔ）１／２になる変倍位置での前記Ｒａ群と前記Ｒｂ群の光軸上間隔をＣｍとするとき、
Ｃｗ＜Ｃｍ＜Ｃｔ
なる条件を満足することを特徴とする請求項１から９いずれか１項のズームレンズ。
【請求項１１】  請求項１から請求項１０のいずれか１項のズームレンズと、該ズームレンズによって物体像が形成される撮像素子とを有することを特徴とする撮影装置。
【手続補正２】
【補正対象書類名】明細書
【補正対象項目名】００１３
【補正方法】変更
【補正の内容】
【００１３】
【課題を解決するための手段】
請求項１の発明のズームレンズは、物体側から順に、負の屈折力の前群と、正の屈折力の後群を有し、該前群と後群の間隔を変化させて変倍させるズームレンズにおいて、該前群は、物体側から順に、正の屈折力のＦａ群と負の屈折力のＦｂ群を有し、変倍時に該Ｆａ群と該Ｆｂ群の間隔が変化するように該Ｆａ群とＦｂ群を移動させ、該後群は、物体側から順に、正の屈折力のＲａ群と正の屈折力のＲｂ群を有し、変倍時に該Ｒａ群と該Ｒｂ群の間隔が変化するように該Ｒａ群とＲｂ群を移動させ、広角端から望遠端に変倍させるときレンズ全系の像面に対して該Ｆａ群と該Ｒｂ群は移動方向が反転することを特徴としている。
【手続補正３】
【補正対象書類名】明細書
【補正対象項目名】００１４
【補正方法】変更
【補正の内容】
【００１４】
請求項２の発明のズームレンズは、物体側から順に、負の屈折力の前群と、正の屈折力の後群を有し、該前群と後群の間隔を変化させて変倍させるズームレンズにおいて、該前群は、物体側から順に、正の屈折力のＦａ群と負の屈折力のＦｂ群を有し、変倍時に該Ｆａ群と該Ｆｂ群の間隔が変化するように該Ｆａ群とＦｂ群を移動させ、該後群は、物体側から順に、正の屈折力のＲａ群と正の屈折力のＲｂ群を有し、変倍時に該Ｒａ群と該Ｒｂ群の間隔が変化するように該Ｒａ群とＲｂ群を移動させ、広角端から望遠端に変倍させるときレンズ全系の像面に対して該Ｒｂ群は移動方向が反転し、該Ｆａ群は１つの正レンズより成り、該Ｒａ群は正レンズと負レンズを有することを特徴としている。
【手続補正４】
【補正対象書類名】明細書
【補正対象項目名】００１５
【補正方法】変更
【補正の内容】
【００１５】
請求項３の発明のズームレンズは、物体側から順に、負の屈折力の前群と、正の屈折力の後群を有し、該前群と後群の間隔を変化させて変倍させるズームレンズにおいて、該前群は、物体側から順に、正の屈折力のＦａ群と負の屈折力のＦｂ群を有し、変倍時に該Ｆａ群と該Ｆｂ群の間隔が変化するように該Ｆａ群とＦｂ群を移動させ、該後群は、物体側から順に、正の屈折力のＲａ群と正の屈折力のＲｂ群を有し、変倍時に該Ｒａ群と該Ｒｂ群の間隔が変化するように該Ｒａ群とＲｂ群を移動させ、広角端から望遠端に変倍させるときレンズ全系の像面に対して該Ｒｂ群は、移動方向が反転し、該Ｒａ群の物体側に変倍に伴って該Ｒａ群と一体的に移動する絞りを配置すると共に、該Ｒｂ群は正の屈折力の接合レンズ又は正レンズより成ることを特徴としている。
【手続補正５】
【補正対象書類名】明細書
【補正対象項目名】００１６
【補正方法】変更
【補正の内容】
【００１６】
請求項４の発明は請求項１、２又は３の発明において、広角端から望遠端に変倍させるとき、レンズ全系の像面に対して前記Ｒｂ群は物体側への移動から像面側への移動に反転することを特徴としている。
【手続補正６】
【補正対象書類名】明細書
【補正対象項目名】００１７
【補正方法】変更
【補正の内容】
【００１７】
請求項５の発明は請求項１から４のいずれか１項の発明において、広角端から望遠端に変倍させるとき、レンズ全系の像面に対して前記Ｆａ群は像面側への移動から物体側への移動に反転することを特徴としている。
【手続補正７】
【補正対象書類名】明細書
【補正対象項目名】００１８
【補正方法】変更
【補正の内容】
【００１８】
請求項６の発明は請求項１から５のいずれか１項の発明において、広角端でのレンズ全系の焦点距離をｆｗ、前記Ｆａ群の焦点距離をｆＦａとするとき、
０．００＜ｆｗ／ｆＦａ＜０．２０
なる条件を満足することを特徴としている。
【手続補正８】
【補正対象書類名】明細書
【補正対象項目名】００１９
【補正方法】変更
【補正の内容】
【００１９】
請求項７の発明は請求項１から６のいずれか１項の発明において、広角端でのレンズ全系の焦点距離をｆｗ、前記Ｆｂ群の焦点距離をｆＦｂとするとき、
０．３５＜ｆｗ／｜ｆＦｂ｜＜０．８０
なる条件を満足することを特徴としている。
【手続補正９】
【補正対象書類名】明細書
【補正対象項目名】００２０
【補正方法】変更
【補正の内容】
【００２０】
請求項８の発明は請求項１から７のいずれか１項の発明において、前記Ｒａ群の焦点距離をｆＲａ、前記Ｒｂ群の焦点距離をｆＲｂとするとき、
０．７＜ｆＲａ／ｆＲｂ＜１．５
なる条件を満足することを特徴としている。
【手続補正１０】
【補正対象書類名】明細書
【補正対象項目名】００２１
【補正方法】変更
【補正の内容】
【００２１】
請求項９の発明は請求項１から８のいずれか１項の発明において、広角端での前記Ｆｂ群と前記Ｒａ群の光軸上間隔をＢｗ、望遠端での前記Ｆｂ群と前記Ｒａ群の光軸上間隔をＢｔ、レンズ全系の焦点距離が広角端の焦点距離ｆｗと望遠端での焦点距離ｆｔの相乗平均ｆｍ＝（ｆｗ×ｆｔ）１／２になる変倍位置での前記Ｆｂ群と前記Ｒａ群の光軸上間隔をＢｍとするとき、
０．５０＜（Ｂｗ−Ｂｍ）／（Ｂｗ−Ｂｔ）＜０．７５
なる条件を満足することを特徴としている。
【手続補正１１】
【補正対象書類名】明細書
【補正対象項目名】００２２
【補正方法】変更
【補正の内容】
【００２２】
請求項１０の発明は請求項１から９のいずれか１項の発明において、広角端での前記Ｒａ群と前記Ｒｂ群の光軸上間隔をＣｗ、望遠端での前記Ｒａ群と前記Ｒｂ群の光軸上間隔をＣｔ、レンズ全系の焦点距離が広角端の焦点距離ｆｗと望遠端での焦点距離ｆｔの相乗平均ｆｍ＝（ｆｗ×ｆｔ）１／２になる変倍位置での前記Ｒａ群と前記Ｒｂ群の光軸上間隔をＣｍとするとき、
Ｃｗ＜Ｃｍ＜Ｃｔ
なる条件を満足することを特徴としている。
請求項１１の発明の撮影装置は、請求項１から請求項１０のいずれか１項のズームレンズと、該ズームレンズによって物体像が形成される撮像素子とを有することを特徴としている。